【手続補正書】
【提出日】平成21年1月14日(2009.1.14)
【手続補正１】
【補正対象書類名】特許請求の範囲
【補正対象項目名】全文
【補正方法】変更
【補正の内容】
【特許請求の範囲】
【請求項１】
被写体を撮像して画像データを出力する撮像手段と、この撮像手段から出力される画像データに基づく前記被写体のスルー画像を表示する表示手段とを備え、撮影動作に伴い前記撮像手段から出力された画像データを記録するカメラ装置において、
複数の撮影シーンに対応して用意されている、各々が複数の条件項目からなる複数の撮影条件を記憶する記憶手段と、
この記憶手段に記憶されている何れか複数の撮影条件が前記撮影動作時の撮影条件としてそれぞれ設定された場合に想定される、撮影結果を示す複数の想定画像を生成する画像生成手段と、
この画像生成手段によって生成された複数の想定画像を前記スルー画像と共に前記表示手段に表示させる表示制御手段と、
この表示制御手段により前記表示手段にスルー画像と共に表示された複数の想定画像のうち任意の想定画像を使用者の操作により選択する選択手段と、
この選択手段によって選択された想定画像に対応する撮影条件を前記記憶手段から読み出し、前記撮影動作時の撮影条件として設定する設定手段と、
を備えたことを特徴とするカメラ装置。
【請求項２】
前記撮像手段により撮像された被写体の画像情報及び／又は当該被写体の撮像時における撮像環境からなるシーン特定情報を取得する取得手段と、
この取得手段により取得されたシーン特定情報に基づき、前記記憶手段に記憶されている複数種の撮影条件のうちで、実際の撮影シーンと一致する蓋然性が高い撮影シーンにそれぞれ対応する複数種の撮影条件を検索する検索手段と、
をさらに備え、
前記画像生成手段は、前記検索手段により検索結果として得られた複数の撮影条件が前記撮影動作時の撮影条件としてそれぞれ設定された場合に想定される撮影結果を示す複数の想定画像を生成することを特徴とする請求項１記載のカメラ装置。
【請求項３】
前記表示制御手段は、前記取得手段により取得されたシーン特定情報に基づき、前記記憶手段に記憶されている複数種の撮影条件に、実際の撮影シーンと一致する蓋然性がより高い撮影シーンに対応する撮影条件がより高位となるように、前記複数の想定画像の表示順を設定する表示順設定手段を含むことを特徴とする請求項２記載のカメラ装置。
【請求項４】
前記記憶手段は、記憶されている複数の撮影条件にそれぞれ対応して当該複数の撮影条件の違いを表わす複数の選択用画像をさらに記憶し、
前記表示制御手段は、切換指示に応答して、前記想定画像に切り換えて当該想定画像の生成に用いられた撮影条件に対応する選択用画像を表示することを特徴とする請求項1乃至３の何れか記載のカメラ装置。
【請求項５】
前記設定手段は、前記表示制御手段により前記表示手段にスルー画像と共に表示された複数の想定画像のうち、前記取得手段によって取得されたシーン特定情報に基づき、実際の撮影シーンと一致する蓋然性が高い撮影シーンに用いられた想定画像に対応する撮影条件を前記記憶手段から更に読み出して設定し、
この設定手段によって設定された複数の撮影条件で連続的に撮影動作を行うよう制御する制御手段をさらに備えたことを特徴とする請求項２乃至４の何れか記載のカメラ装置。
【請求項６】
被写体を撮像して画像データを出力する撮像手段、この撮像手段から出力される画像データに基づく前記被写体のスルー画像を表示する表示手段、及び、複数の撮影シーンに対応して用意されている各々が複数の条件項目からなる複数の撮影条件を記憶する記憶手段を備え、撮影動作に伴い前記撮像手段から出力された画像データを記録するカメラ装置における撮影条件設定方法であって、
前記記憶手段に記憶されている撮影条件のうち何れか複数の撮影条件が前記撮影動作時の撮影条件としてそれぞれ設定された場合に想定される、撮影結果を示す複数の想定画像を生成する画像生成工程と、
この画像生成工程にて生成された複数の想定画像を前記スルー画像と共に前記表示手段に表示させる表示制御工程と、
この表示制御工程にて前記表示手段にスルー画像と共に表示された複数の想定画像のうち任意の想定画像を使用者の操作を検出することにより選択する選択工程と、
この選択工程にて選択された想定画像に対応する撮影条件を前記記憶手段から読み出し、前記撮影動作時の撮影条件として設定する設定工程と、
を含むことを特徴とする撮影条件設定方法。
【請求項７】
被写体を撮像して画像データを出力する撮像手段、この撮像手段から出力される画像データに基づく前記被写体のスルー画像を表示する表示手段、及び、複数の撮影シーンに対応して用意されている各々が複数の条件項目からなる複数の撮影条件を記憶する記憶手段を備え、撮影動作に伴い前記撮像手段から出力された画像データを記録するカメラ装置が有するコンピュータを、
複数の撮影シーンに対応して用意されている各々が複数の条件項目からなる複数の撮影条件を記憶する記憶手段より、何れか複数の撮影条件が前記撮影動作時の撮影条件としてそれぞれ設定された場合に想定される撮影結果を示す複数の想定画像を生成する画像生成手段、
この画像生成手段によって生成された複数の想定画像を前記スルー画像と共に前記表示手段に表示させる表示制御手段、
前記表示制御手段によって前記表示手段にスルー画像と共に表示された複数の想定画像のうち任意の想定画像を使用者の操作を検出することにより選択する選択手段、
この選択手段によって選択された想定画像に対応する撮影条件を前記記憶手段から読み出し、前記撮影動作時の撮影条件として設定する設定手段、
として機能させることを特徴とするプログラム。
【手続補正２】
【補正対象書類名】明細書
【補正対象項目名】発明の名称
【補正方法】変更
【補正の内容】
【発明の名称】カメラ装置、撮影条件設定方法、及び、プログラム
【手続補正３】
【補正対象書類名】明細書
【補正対象項目名】０００１
【補正方法】変更
【補正の内容】
【０００１】
本発明は、例えばシーンセレクト撮影機能を備えたデジタルカメラに用いて好適なカメラ装置、撮影条件設定方法、及び、プログラムに関するものである。
【手続補正４】
【補正対象書類名】明細書
【補正対象項目名】０００６
【補正方法】変更
【補正の内容】
【０００６】
前記課題を解決するため請求項１記載の発明にあっては、被写体を撮像して画像データを出力する撮像手段と、この撮像手段から出力される画像データに基づく前記被写体のスルー画像を表示する表示手段とを備え、撮影動作に伴い前記撮像手段から出力された画像データを記録するカメラ装置において、複数の撮影シーンに対応して用意されている、各々が複数の条件項目からなる複数の撮影条件を記憶する記憶手段と、この記憶手段に記憶されている何れか複数の撮影条件が前記撮影動作時の撮影条件としてそれぞれ設定された場合に想定される、撮影結果を示す複数の想定画像を生成する画像生成手段と、この画像生成手段によって生成された複数の想定画像を前記スルー画像と共に前記表示手段に表示させる表示制御手段と、この表示制御手段により前記表示手段にスルー画像と共に表示された複数の想定画像のうち任意の想定画像を使用者の操作により選択する選択手段と、この選択手段によって選択された想定画像に対応する撮影条件を前記記憶手段から読み出し、前記撮影動作時の撮影条件として設定する設定手段と、を備えたものとした。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】変更
【補正の内容】
【０００８】
また、請求項２記載の発明にあっては、前記請求項１記載の発明において、前記撮像手段により撮像された被写体の画像情報及び／又は当該被写体の撮像時における撮像環境からなるシーン特定情報を取得する取得手段と、この取得手段により取得されたシーン特定情報に基づき、前記記憶手段に記憶されている複数種の撮影条件のうちで、実際の撮影シーンと一致する蓋然性が高い撮影シーンにそれぞれ対応する複数種の撮影条件を検索する検索手段と、をさらに備え、前記画像生成手段は、前記検索手段により検索結果として得られた複数の撮影条件が前記撮影動作時の撮影条件としてそれぞれ設定された場合に想定される撮影結果を示す複数の想定画像を生成するものとした。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】変更
【補正の内容】
【００１０】
また、請求項３記載の発明にあっては、前記請求項２記載の発明において、前記表示制御手段は、前記取得手段により取得されたシーン特定情報に基づき、前記記憶手段に記憶されている複数種の撮影条件に、実際の撮影シーンと一致する蓋然性がより高い撮影シーンに対応する撮影条件がより高位となるように、前記複数の想定画像の表示順を設定する表示順設定手段を含むものとした。
【手続補正９】
【補正対象書類名】明細書
【補正対象項目名】００１１
【補正方法】変更
【補正の内容】
【００１１】
また、請求項４記載の発明にあっては、前記請求項１乃至３の何れか記載の発明において、前記記憶手段は、記憶されている複数の撮影条件にそれぞれ対応して当該複数の撮影条件の違いを表わす複数の選択用画像をさらに記憶し、前記表示制御手段は、切換指示に応答して、前記想定画像に切り換えて当該想定画像の生成に用いられた撮影条件に対応する選択用画像を表示するものとした。
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】変更
【補正の内容】
【００１３】
また、請求項５記載の発明にあっては、前記請求項２乃至４の何れか記載の発明において、前記設定手段は、前記表示制御手段により前記表示手段にスルー画像と共に表示された複数の想定画像のうち、前記取得手段によって取得されたシーン特定情報に基づき、実際の撮影シーンと一致する蓋然性が高い撮影シーンに用いられた想定画像に対応する撮影条件を前記記憶手段から更に読み出して設定し、この設定手段によって設定された複数の撮影条件で連続的に撮影動作を行うよう制御する制御手段をさらに備えるものとした。
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】変更
【補正の内容】
【００１５】
また、請求項６記載の発明にあっては、被写体を撮像して画像データを出力する撮像手段、この撮像手段から出力される画像データに基づく前記被写体のスルー画像を表示する表示手段、及び、複数の撮影シーンに対応して用意されている各々が複数の条件項目からなる複数の撮影条件を記憶する記憶手段を備え、撮影動作に伴い前記撮像手段から出力された画像データを記録するカメラ装置における撮影条件設定方法であって、前記記憶手段に記憶されている撮影条件のうち何れか複数の撮影条件が前記撮影動作時の撮影条件としてそれぞれ設定された場合に想定される、撮影結果を示す複数の想定画像を生成する画像生成工程と、この画像生成工程にて生成された複数の想定画像を前記スルー画像と共に前記表示手段に表示させる表示制御工程と、この表示制御工程にて前記表示手段にスルー画像と共に表示された複数の想定画像のうち任意の想定画像を使用者の操作を検出することにより選択する選択工程と、この選択工程にて選択された想定画像に対応する撮影条件を前記記憶手段から読み出し、前記撮影動作時の撮影条件として設定する設定工程と、を含むものとした。
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】変更
【補正の内容】
【００１７】
また、請求項７記載の発明にあっては、被写体を撮像して画像データを出力する撮像手段、この撮像手段から出力される画像データに基づく前記被写体のスルー画像を表示する表示手段、及び、複数の撮影シーンに対応して用意されている各々が複数の条件項目からなる複数の撮影条件を記憶する記憶手段を備え、撮影動作に伴い前記撮像手段から出力された画像データを記録するカメラ装置が有するコンピュータを、複数の撮影シーンに対応して用意されている各々が複数の条件項目からなる複数の撮影条件を記憶する記憶手段より、何れか複数の撮影条件が前記撮影動作時の撮影条件としてそれぞれ設定された場合に想定される撮影結果を示す複数の想定画像を生成する画像生成手段、この画像生成手段によって生成された複数の想定画像を前記スルー画像と共に前記表示手段に表示させる表示制御手段、前記表示制御手段によって前記表示手段にスルー画像と共に表示された複数の想定画像のうち任意の想定画像を使用者の操作を検出することにより選択する選択手段、この選択手段によって選択された想定画像に対応する撮影条件を前記記憶手段から読み出し、前記撮影動作時の撮影条件として設定する設定手段、として機能させるものとした。
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】削除
【補正の内容】
【手続補正２３】
【補正対象書類名】明細書
【補正対象項目名】００２５
【補正方法】削除
【補正の内容】
【手続補正２４】
【補正対象書類名】明細書
【補正対象項目名】００２６
【補正方法】削除
【補正の内容】
【手続補正２５】
【補正対象書類名】明細書
【補正対象項目名】００２７
【補正方法】削除
【補正の内容】
【手続補正２６】
【補正対象書類名】明細書
【補正対象項目名】００２８
【補正方法】削除
【補正の内容】
【手続補正２７】
【補正対象書類名】明細書
【補正対象項目名】００２９
【補正方法】削除
【補正の内容】
【手続補正２８】
【補正対象書類名】明細書
【補正対象項目名】００３０
【補正方法】削除
【補正の内容】
【手続補正２９】
【補正対象書類名】明細書
【補正対象項目名】００３１
【補正方法】削除
【補正の内容】
【手続補正３０】
【補正対象書類名】明細書
【補正対象項目名】００３２
【補正方法】削除
【補正の内容】
【手続補正３１】
【補正対象書類名】明細書
【補正対象項目名】００３３
【補正方法】変更
【補正の内容】
【００３３】
本発明によれば、撮影条件を設定するときの作業性を向上させることが可能となる。
【手続補正３２】
【補正対象書類名】明細書
【補正対象項目名】００３４
【補正方法】削除
【補正の内容】
【手続補正３３】
【補正対象書類名】明細書
【補正対象項目名】００３５
【補正方法】削除
【補正の内容】
【手続補正３４】
【補正対象書類名】明細書
【補正対象項目名】００３６
【補正方法】削除
【補正の内容】
【手続補正３５】
【補正対象書類名】明細書
【補正対象項目名】００３７
【補正方法】削除
【補正の内容】
【手続補正３６】
【補正対象書類名】明細書
【補正対象項目名】００３８
【補正方法】削除
【補正の内容】
【手続補正３７】
【補正対象書類名】明細書
【補正対象項目名】００３９
【補正方法】削除
【補正の内容】
【手続補正３８】
【補正対象書類名】明細書
【補正対象項目名】００４０
【補正方法】削除
【補正の内容】
【手続補正３９】
【補正対象書類名】明細書
【補正対象項目名】００４１
【補正方法】削除
【補正の内容】